(57)【要約】【課題】母線側機器ユニット、遮断器ユニット、線路側機器ユニットの順序で構成接続されたガス絶縁開閉装置において、回線間寸法を広げることなく変流器二次端子箱への接近が容易にできるコンパクトなガス絶縁開閉装置を提供する。【解決手段】遮断器ユニットと線路側機器ユニットを接続する水平分岐部に収納した変流器１と、前記変流器１より遮断器ユニットの容器内壁面に沿い遮断器操作駆動部近傍を経由する前記変流器１の２次リード線と、前記遮断器ユニット容器内の母線機器ユニット側の下部に配置し前記変流器１の２次リード線を接続した２次端子箱と、を有することを特徴とする。【選択図】図２
2008283771.tif 000002
【特許請求の範囲】
【請求項１】
母線側機器ユニット、遮断器ユニット、線路側機器ユニットの順序で構成接続されたガス絶縁開閉装置において、遮断器ユニットと線路側機器ユニットを接続する水平分岐部に収納した変流器１と、前記変流器１より遮断器ユニットの容器内壁面に沿い遮断器操作駆動部近傍を経由する前記変流器１の２次リード線と、前記遮断器ユニット容器内の母線機器ユニット側の下部に配置し前記変流器１の２次リード線を接続した２次端子箱と、を有することを特徴とするガス絶縁開閉装置。
【請求項２】
母線側機器ユニット、遮断器ユニット、線路側機器ユニットの順序で構成接続されたガス絶縁開閉装置において、遮断器ユニットと線路側機器ユニットを接続する水平分岐部に収納した変流器１と、前記変流器１より遮断器ユニットの容器内壁面および前記遮断器の消弧室の上部に配置した変流器２を支持している上部支え板の上側に沿って配線した前記変流器１の２次リード線と、前記遮断器ユニット容器内の母線機器ユニット側の上部に配置し前記変流器１の２次リード線を接続した２次端子箱と、を有することを特徴とするガス絶縁開閉装置。
【請求項３】
母線側機器ユニット、遮断器ユニット、線路側機器ユニットの順序で構成接続されたガス絶縁開閉装置において、前記遮断器の消弧室の上部に配置した変流器２と、前記変流器２より遮断器ユニットの容器内壁面に沿い遮断器操作駆動部近傍を経由する前記変流器２の２次リード線と、前記遮断器ユニット容器内の母線機器ユニット側の下部に配置し前記変流器２の２次リード線を接続した２次端子箱と、を有することを特徴とするガス絶縁開閉装置。
【請求項４】
母線側機器ユニット、遮断器ユニット、線路側機器ユニットの順序で構成接続されたガス絶縁開閉装置において、前記遮断器の消弧室の上部に配置した変流器２と、前記変流器２より変流器２を支持している上部支え板の上側および前記遮断器ユニットの容器内壁面に沿って配線した前記変流器２の２次リード線と、前記遮断器ユニット容器内の母線機器ユニット側の上部に配置し前記変流器２の２次リード線を接続した２次端子箱と、を有することを特徴とするガス絶縁開閉装置。
【請求項５】
請求項１乃至４記載のガス絶縁開閉装置において、２次端子箱の位置を遮断器ユニット容器内で、２次端子箱中心と遮断器ユニットの中心軸を結ぶ線と、回線軸とが所定の角度を有する方向としたことを特徴とするガス絶縁開閉装置。
【請求項６】
請求項１乃至５記載のガス絶縁開閉装置において、前記遮断器ユニット容器内面に変流器２次リード線を沿わせる経路に２次リード線を収納する溝を有することを特徴とするガス絶縁開閉装置。
【請求項７】
請求項１乃至６記載のガス絶縁開閉装置において、３相器に適用したことを特徴とするガス絶縁開閉装置。 
【発明の詳細な説明】
【技術分野】
【０００１】
本発明は、母線側ユニット、遮断器ユニット及び線路側機器ユニットで構成され、特に遮断器ユニットを縦置きとしたガス絶縁開閉装置に関する。
【背景技術】
【０００２】
一般に、ガス絶縁開閉装置の一回線機器は母線側機器ユニットと遮断器ユニット及び線路側機器ユニットに大別され、絶縁ガスを充填した容器内に収納されている。最近、最小個数の容器内に収納された各ユニットの配置順序としては母線側機器ユニットと遮断器ユニット及び線路側機器ユニットで構成することで、より縮小化を図り、ガス絶縁開閉装置を合理的に配置することが多い。中央に配置される遮断器ユニットは、遮断器とその遮断器の片側あるいは両側に配置される変流器が遮断器容器内に収納されている。特許文献１では、両側に配置された変流器の一つが、ここでは母線側変流器であり遮断器の上部の線路側機器ユニット側に配置され、もう一つが、ここでは線路側変流器であり遮断器容器の水平分岐部内に配置されている構成が示されている。
【０００３】
特許文献２では、変流器の二次端子箱（二次端子箱は「密封端子板」とも呼ぶ。本出願において同じ）の配置は変流器を収納している容器の近傍に設けている構成が示されている。
【特許文献１】特開２００４−２６６９６９号公報
【特許文献２】特開２００１−２５８１１２号公報
【発明の開示】
【発明が解決しようとする課題】
【０００４】
上述したガス絶縁開閉装置の構成においては、中央に配置された変流器を有する遮断器ユニットでは変流器近傍に配置された二次端子箱への接近が困難となり、保守点検性は悪くなる。そのために回線間に保守点検通路を確保する必要があるため回線間寸法が広がり、ガス絶縁開閉装置の大型化が課題となっており、その解決が希求されていた。
【０００５】
本発明は上述した課題を解決するためになされたものであり、遮断器ユニットの変流器二次端子箱を母線側機器ユニットの方向に配置することで、回線間寸法を広げることなく変流器二次端子箱への接近が容易にできるコンパクトなガス絶縁開閉装置を提供することを目的とする。
【課題を解決するための手段】
【０００６】
上記目的を達成するために、本発明の請求項１によるガス絶縁開閉装置は、遮断器ユニットと線路側機器ユニットを接続する水平分岐部に収納した変流器１と、前記変流器１より遮断器ユニットの容器内壁面に沿い遮断器操作駆動部近傍を経由する前記変流器１の２次リード線と、前記遮断器ユニット容器内の母線機器ユニット側の下部に配置し前記変流器１の２次リード線を接続した２次端子箱と、を有することを特徴としている。
【０００７】
また、請求項２によるガス絶縁開閉装置は、遮断器ユニットと線路側機器ユニットを接続する水平分岐部に収納した変流器１と、前記変流器１より遮断器ユニットの容器内壁面および前記遮断器の消弧室の上部に配置した変流器２を支持している上部支え板の上側に沿って配線した前記変流器１の２次リード線と、前記遮断器ユニット容器内の母線機器ユニット側の上部に配置し前記変流器１の２次リード線を接続した２次端子箱と、を有することを特徴としている。
【０００８】
更に、請求項３は、遮断器の消弧室の上部に配置した変流器２の２次リード線を、請求項１と同様の経路で配線し、遮断器ユニット容器内の母線機器ユニット側の下部に配置した２次端子箱を有することを特徴としている。
【０００９】
請求項４は、遮断器の消弧室の上部に配置した変流器２の２次リード線を、請求項２と同様の経路で配線し、遮断器ユニット容器内の母線機器ユニット側の上部に配置した２次端子箱を有することを特徴としている。
【発明の効果】
【００１０】
本発明によれば、遮断器ユニットと線路側機器ユニットを接続する水平分岐部に収納した変流器１、または遮断器の消弧室の上部に配置した変流器２の2次リード線を、遮断器ユニット容器内に沿って配線し、遮断器ユニット容器の下部または上部で母線機器ユニット側の方向に配置した２次端子箱に接続した構成としているため、回線間寸法を広げることなく変流器二次端子箱への接近が容易にできるコンパクトなガス絶縁開閉装置を提供できる。
【発明を実施するための最良の形態】
【００１１】
以下、本発明に係るガス絶縁開閉装置の実施例について、図面を参照して説明する。
【実施例１】
【００１２】
まず、図１から図４を用いて第１の実施例を説明する。図１はガス絶縁開閉装置の代表的な１回線の単線結線図で、図２は図１の単線結線図による実施例１の構造図である。図３は図２の矢視Ａ−Ａを示し、図４は図２の矢視Ｂ−Ｂを示す。本実施例１では、１回線は左から母線側機器ユニット1、遮断器ユニット２、線路側機器ユニット３で構成されている。細部に図示されていない消弧室を有する遮断器４の下方に配置された遮断器容器５の水平分岐部６には線路側変流器７が収納されており、線路側変流器７を固定している支え板８aが水平分岐部６の内壁に設けられた突起物９aに取り付けている。線路側変流器７のほぼ中央に変流器一次導体１０aが配置され、その一端が遮断器４に接続されている。線路側変流器７の二次リード線１１aは遮断器容器５の内壁に沿って下部に配置された操作駆動部１２を経由して、母線側機器ユニット１方向に設けられた変流器二次端子箱１３a、ここでは１個に接続されている。変流器二次端子箱１３aは複数個を取り付けることも可能である。図示されていないが、二次リード線１１aを電気的に保護するためにシールドを設けることもあり得る。一方、変流器一次導体１０aの他端には線路側機器ユニット３が接続されている。線路側機器ユニット３は線路側機器容器１４の主胴部に設けられた線路側断路器１５と線路側接地装置１６が接続されており、下方には電力ケーブル１７が、上方には計器用変圧器１８が配置されている。図示されていないが、ブッシング取り合いの場合は電力ケーブル１７の代わりに計器用変圧器１８の端子にブッシング接続装置を配置することも可能である。
【００１３】
一方、遮断器４の上部に母線側変流器１９が配置され、母線側変流器１９を固定している支え板８ｂが遮断器容器５の内壁に設けられた突起物９ｂに取り付けている。水平導体２０が支え板８bに取り付けられたポストスペーサ２１で絶縁支持されており、その一端には遮断器４と接続するために母線側変流器１９の変流器一次導体１０ｂがスライド接点２２を介して電気的に接続されている。図中ではスライド接点２２は変流器一次導体１０ｂの両端に設けられているが、少なくとも一箇所でも構成可能である。遮断器容器５の上部開口部には蓋２３が設けられている。
【００１４】
一方、水平導体２０の他端には２つの母線側機器ユニット１と接続する母線接続導体２４が接続されている。２個の母線機器ユニット１は母線容器２５ａ、２５ｂの主胴が紙面の表裏方向に配置されており、母線容器２５ａ、２５ｂの主胴内に母線２６a、２６ｂと母線側断路器２７a、２７ｂが収納されている。母線側変流器１９の二次リード線１１ｂは支え板８ｂの上面に、且つ遮断器容器５の内壁に沿って、母線側機器ユニット１方向に設けられ且つ、母線側機器ユニット１の上部に設けられた２次端子箱１３ｂ、ここでは１個に接続されている。変流器二次端子箱１３ｂは複数個を取り付けることも可能である。図示されていないが、二次リード線１１ｂを電気的に保護するためにシールドを設けている。図３及び図４に示すように変流器二次端子１３ａ、１３ｂは回線軸に対する角度θ１またはθ２傾けて配置しても良い。これにより、母線側機器ユニット背後に障害物がある場合でも、ケーブル接続等の作業スペースを確保することができる。また、変流器二次端子１３ａ、１３ｂを回線軸に対しある距離を隔てて平行に配置しても良い。
【００１５】
母線側機器ユニット１の前面には回線制御盤２８及び母線側機器ユニット１の機器操作スペースとして保守点検通路２９が確保されている。
【００１６】
図２は単相器で表現しているが、３相器への適用も可能である。また、２個の母線側機器ユニットで表現しているが、１個への適用も可能である。
【００１７】
本実施の形態にすれば、変流器二次端子箱１３ａ、１３ｂが母線方向に配置されているため、保守点検通路２９から変流器二次端子箱１３ａ、１３ｂへ容易に接近することができる。そのため回線間に保守点検通路を設ける必要がないため、回線間寸法の最小限化が可能となり、複数回線で構成されるガス絶縁開閉装置では大幅な縮小が図られる。
【実施例２】
【００１８】
図５、図６は第2の実施例を示す図である。第1の実施例と同じ構成要素については、同じ符号を付し、説明を省略する。
【００１９】
図５は母線側変流器１９の二次リード線１１ｂを、遮断器ユニット内を下部方向に這わせ、水平分岐部を迂回して配線し、下部に配置された操作駆動部１２を経由して、母線側機器ユニット１方向に設けられた変流器二次端子箱１３aに接続されている。これにより、線路側変流器７の二次リード線１１aが接続されているのと同じ位置の二次端子箱１３ａに、母線側変流器１９の二次リード線１１ｂも接続されているため、外部ケーブルの接続が1箇所で扱いやすいという長所がある。
【００２０】
同様に図６は、線路側変流器７の二次リード線１１aを、遮断器容器内壁を上部方向に沿わせ、支え板８ｂの上面に配線し、母線側機器ユニット１方向に設けられ且つ、母線側機器ユニット１の上部に設けられた２次端子箱１３ｂに接続されている。これにより、母線側変流器１９の二次リード線１１ｂが接続されているのと同じ位置の二次端子箱１３ｂに、線路側変流器７の二次リード線１１aも接続されているため、外部ケーブルの接続が1箇所で扱いやすいという長所がある。
【実施例３】
【００２１】
図７は、第3の実施例を示したものである。図７は、第３の実施例における図２の矢視Ａ−Ａを示している。遮断器容器内に変流器二次リード線を収納する溝３０を設けたものであるが、変流器二次リード線を溝内に収納することにより、一次導体からのシールド効果が期待できる。
【図面の簡単な説明】
【００２２】
【図１】本発明の第１の実施形態のガス絶縁開閉装置の代表的な単線結線図
【図２】本発明の第１の実施形態のガス絶縁開閉装置の内部構造を表す構成図
【図３】本発明の第１の実施形態の矢視Ａ−Ａを表す断面図
【図４】本発明の第１の実施形態の矢視Ｂ−Ｂを表す断面図
【図５】本発明の第2の実施形態のガス絶縁開閉装置の内部構造を表す構成図
【図６】本発明の第2の実施形態のガス絶縁開閉装置の内部構造を表す構成図
【図７】本発明の第３の実施形態を示す矢視Ａ−Ａを表す断面図
【符号の説明】
【００２３】
1…母線側機器ユニット
2…遮断器ユニット
3…線路側機器ユニット
4…遮断器
5…遮断器容器
6…水平分岐部
7…線路側変流器
8a,8b…支え板
9a,9b…突起物
11a,11b…変流器二次リード線
12…操作駆動部
13a,13b…変流器二次端子箱
15…線路側断路器
16…線路側接地装置
17…電力ケーブル
18…計器用変圧器
19…母線側変流器
20…水平導体
21…ポストスペーサ
22…スライド接点
26a,26b…母線
28…回線制御盤
29…保守点検通路
30…変流器二次リード線を収納する溝 
【図１】
2008283771.tif 000003
【図２】
2008283771.tif 000004
【図３】
2008283771.tif 000005
【図４】
2008283771.tif 000006
【図５】
2008283771.tif 000007
【図６】
2008283771.tif 000008
【図７】
2008283771.tif 000009